(57)【要約】【課題】低硫黄等の環境対応型ガソリンであって、潤滑性向上剤を配合しない場合においても、優れた耐摩耗性を有するガソリン、及び優れた耐摩耗性とともに吸気バルブデポジット（ＩＶＤ）の生成が少ないガソリン組成物と提供すること。【解決手段】リサーチ法オクタン価が９６以上であり、硫黄含有量が１０質量ｐｐｍ以下であって、下記の一般式（１）  Ｒ1−Ｏ−Ｒ2                ・・・（１）（式中、Ｒ1は、炭素数２〜８の直鎖又は分岐アルキル基を示し、Ｒ2は、水素原子又は炭素数３〜５の分岐アルキル基を示す。）で表される化合物を含有することを特徴とする耐摩耗性ガソリン組成物である。【選択図】なし【特許請求の範囲】
【請求項１】
リサーチ法オクタン価が９６以上であり、硫黄分が１０質量ｐｐｍ以下であって、下記の一般式（１）
Ｒ1−Ｏ−Ｒ2                ・・・（１）
（式中、Ｒ1は、炭素数２〜８の直鎖又は分岐アルキル基を示し、Ｒ2は、水素原子又は炭素数３〜５の分岐アルキル基を示す。）
で表される化合物を含有することを特徴とするガソリン組成物。
【請求項２】
一般式（１）のＲ1が、炭素数２〜５の直鎖又は分岐アルキル基である請求項１に記載のガソリン組成物。
【請求項３】
一般式（１）のＲ2が、水素原子である請求項1に記載のガソリン組成物。
【請求項４】
オレフィン分が５容量％以上である請求項１〜３のいずれかに記載のガソリン組成物。
【請求項５】
清浄剤を含有することを特徴とする請求項１〜４のいずれかに記載のガソリン組成物。
【請求項６】
ＪＰＩ−５Ｓ−９８に規定する「軽油−潤滑性試験方法」に準拠し、試験温度を２５℃で行った潤滑性試験において、試験時間１０分経過時における摩耗痕径が４８０μｍ以下である請求項１〜５のいずれかに記載のガソリン組成物。
【請求項７】
潤滑性試験にける試験時間４分経過時における試験結果が、下記の（ａ）及び（ｂ）のうち少なくとも一方を満たすことを特徴とする請求項６に記載のガソリン組成物。
（ａ）試験円盤と試験硬球との間に通電したときの絶縁率が２０％以上
（ｂ）試験円盤と試験硬球間の摩擦係数が１．０以下
【発明の詳細な説明】
【技術分野】
【０００１】
本発明はガソリン組成物に関し、より詳しくは低硫黄分であって優れた耐摩耗性を有するガソリン組成物、並びに低硫黄分であって、優れた耐摩耗性及びガソリンエンジンの吸気系統などの清浄性に優れたガソリン組成物に関する。
【背景技術】
【０００２】
自動車の排気ガスによる環境汚染が大きな社会問題とされて以来、従来からの課題である運転性能の向上とともに、排気ガスに含まれる有害物質を低減する、いわゆる環境対応型ガソリンの開発が集中的になされ、種々の環境対応型ガソリンが提案され、上市されてきた。
この種のガソリンとしては、例えば、排気ガス中のＳＯxの増加を防止するとともに、有害物質を除去する三元触媒の活性を維持するためにガソリン中の硫黄分を極度に低減し、また、排気ガス中のベンゼンの発生を抑制するためにガソリン中の芳香族分やベンゼンを低減するなどによって環境汚染を低減し、さらにその上で、ガソリンの蒸留性状を制御することによって運転性能も改良する提案が多く行われている（例えば、特許文献１〜４参照）。
【０００３】
しかしながら、このような極度に硫黄分が少ない環境対応型ガソリンにあっては、その潤滑性能、特に耐摩耗性が不十分な場合がある。ガソリンの耐摩耗性能が不充分であると、例えば燃料ポンプの摺動部が摩耗し、適正量の燃料の供給ができないためエンジン内での燃焼状態が悪化し、さらには燃料の供給が不能となってエンジンが停止してしまうことになる。
このような不都合を解決する方法として、いわゆる潤滑性向上剤を配合することが考えられる（例えば、特許文献５参照）。しかし、それでは製造コストが上昇し経済性の点で難点があり、また、そのような潤滑性向上剤を添加することによって、必ずしも目的とする充分な耐摩耗性が得られるとは限らない。さらに潤滑性向上剤が吸気バルブデポジット（ＩＶＤ）生成の原因となり、エンジンの円滑な作動の障害となることがある。
そこで、そのような潤滑性向上剤を配合しない場合であっても、優れた耐摩耗性を有するガソリン、及び耐摩耗性を有するともに、ＩＶＤの生成を抑制できるガソリンの出現が要望されている。
【０００４】
【特許文献１】特開平７−２０７２８６号公報
【特許文献２】特開平９−１１１２５８号公報
【特許文献３】特開平９−１１１２６０号公報
【特許文献４】特開２０００−７３０７４号公報
【特許文献５】特開２００２−３０９２７４号公報
【発明の開示】
【発明が解決しようとする課題】
【０００５】
本発明は、このような状況下でなされたものである。従って、本発明は、低硫黄分等の環境対応型ガソリンであって、優れた耐摩耗性を有するガソリン組成物を提供することを目的とするものである。また、本発明は、低硫黄分等の環境対応型ガソリンであって、優れた耐摩耗性を有するとともに、吸気バルブデポジット（ＩＶＤ）の生成が少ないガソリン組成物を提供することを目的とするものである。
【課題を解決するための手段】
【０００６】
本発明者らは、低硫黄分等の環境対応型ガソリンにおいて、特定の化学構造を有する化合物を含有するガソリン組成物がその目的を達成できることを見出した。本発明はかかる知見に基づいて完成したものである。
【０００７】
すなわち、本発明は、
１．  リサーチ法オクタン価が９６以上であり、硫黄分が１０質量ｐｐｍ以下であって、下記の一般式（１）
Ｒ1−Ｏ−Ｒ2                ・・・（１）
（式中、Ｒ1は、炭素数２〜８の直鎖又は分岐アルキル基を示し、Ｒ2は、水素原子又は炭素数３〜５の分岐アルキル基を示す。）
で表される化合物を含有することを特徴とするガソリン組成物、
２．  一般式（１）のＲ1が、炭素数２〜５の直鎖又は分岐アルキル基である前記１に記載のガソリン組成物、
３．  一般式（１）のＲ2が、水素原子である前記１に記載のガソリン組成物、
４．  オレフィン分が５容量％以上である前記１〜３のいずれかに記載のガソリン組成物、
５．  清浄剤を含有することを特徴とする前記１〜４のいずれかに記載のガソリン組成物、
６．  ＪＰＩ−５Ｓ−９８に規定する「軽油−潤滑性試験方法」に準拠し、試験温度を２５℃で行った潤滑性試験において、試験時間１０分経過時における摩耗痕径が４８０μｍ以下である前記１〜５のいずれかに記載のガソリン組成物、
７．  潤滑性試験にける試験時間４分経過時における試験結果が、下記の（ａ）及び（ｂ）のうち少なくとも一方を満たすことを特徴とする前記６に記載のガソリン組成物、
（ａ）試験円盤と試験硬球との間に通電したときの絶縁率が２０％以上
（ｂ）試験円盤と試験硬球間の摩擦係数が１．０以下
を提供するものである。
【発明の効果】
【０００８】
本発明のガソリン組成物は、硫黄分が少なく、排気ガスによる有害物質の排出量が少ない上に、潤滑性向上剤を加えない場合であっても、優れた耐摩耗性を有する。また、本発明のガソリン組成物は、硫黄分が少なく、排気ガスによる有害物質の排出量が少ない上に、潤滑性向上剤を加えない場合であっても、優れた耐摩耗性を有するとともに、吸気バルブデポジット（ＩＶＤ）生成が少ないガソリン組成物である。
【発明を実施するための最良の形態】
【０００９】
本発明のガソリン組成物が必要とする条件について以下に詳述する。
本発明のガソリン組成物は、リサーチ法オクタン価（ＲＯＮ）が９６以上、好ましくは９８以上、より好ましくは９９以上である。ＲＯＮが９６未満では、ノッキングを生ずる恐れがあるなど運転性能が低下してしまう場合がある。一方、ＲＯＮの上限値については特に制限はないが、通常およそ１０５である。なお、このリサーチ法オクタン価は、ＪＩＳ  Ｋ  ２２８０により測定した値である。
【００１０】
本発明のガソリン組成物は、硫黄分が１０質量ｐｐｍ以下、好ましくは５質量ｐｐｍ以下、特に好ましくは１質量ｐｐｍ以下である。硫黄分が１０質量ｐｐｍを超えると、排ガス中のＳＯｘが増加するとともに、有害物質を除去するための三元触媒の活性が低下し、その結果排気ガス中のＣＯ、炭化水素、ＮＯｘなどを増加させることになる。なお、硫黄分の含有量はＪＩＳ  Ｋ  ２５４１−２の微量電量滴定酸化法に従って測定した値である。
【００１１】
本発明のガソリン組成物は、一般式（１）で表される化合物を含有する。この化合物を含有することによって、ガソリンの耐摩耗性を高めることができる。
一般式（１）のＲ1は、炭素数２〜８の直鎖又は分岐アルキル基を示す。このＲ1が炭素数２〜８のアルキル基であれば、一般式（１）で表される化合物の溶解性が良好であると共に、組成物の耐摩耗性を高めることができる。一般式（１）で表される化合物のＲ1の具体例としては、エチル基、ｎ−プロピル基、イソプロピル基、ｎ−ブチル基、イソブチル基、ｓｅｃ-ブチル基，ｔｅｒｔ−ブチル基、ｎ−アミル基（ｎ−ペンチル基）、イソアミル基（イソペンチル基）、ネオペンチル基、ｔｅｒｔ−アミル基（ｔｅｒｔ−ペンチル基）、ｎ−ヘキシル基、イソヘキシル基、ｎ−ヘプチル基、イソヘプチル基、ｎ−オクチル基、イソ−オクチル基などが挙げられる。これらの中でも、耐摩耗性を高めるなどの効果の点から、炭素数２〜５の直鎖又は分岐アルキル基、さらに炭素数２〜４の直鎖又は分岐アルキル基であることが好ましく、特に、炭素数２のアルキル基（エチル基）が好ましい。
一方、一般式（１）で表される化合物のＲ2は、水素原子又は炭素数３〜５の分岐アルキル基を示す。このようなＲ2の具体例としては、水素原子、イソプロピル基、イソブチル基、ｓｅｃ-ブチル基，ｔｅｒｔ−ブチル基、イソアミル基（イソペンチル基）、ネオペンチル基、ｔｅｒｔ−アミル基（ｔｅｒｔ−ペンチル基）などが挙げられる。これらの中でも水素原子及び炭素数４、又は５の分岐アルキル基が好ましく、水素原子、ｔｅｒｔ−ブチル基及びｔｅｒｔ−アミル基がより好ましい。特に好ましくは水素原子である。
【００１２】
一般式（１）で表される化合物の代表例としては、エチルアルコール（エタノール）、ｎ−プロピルアルコール、イソプロピルアルコール、ｎ−ブチルアルコール、イソブチルアルコール、ｓｅｃ-ブチルアルコール、ｔｅｒｔ−ブチルアルコール、ｎ−アミルアルコール（ｎ−ペンチルアルコール）、イソアミルアルコール（イソペンチルアルコール）、ネオペンチルアルコール、ｔｅｒｔ−アミルアルコール（ｔｅｒｔ−ペンチルアルコール）、エチルイソブチルエーテル、エチルｓｅｃ-ブチルエーテル、エチルｔｅｒｔ−ブチルエーテル、エチルイソアミルエーテル（エチルイソペンチルエーテル）、エチルネオペンチルエーテル、エチルｔｅｒｔ−アミルエーテル（エチルｔｅｒｔ−ペンチルエーテル）などが挙げられる。これら一般式（１）で表される化合物は一種を単独で用いてもよく、二種以上を組合せて用いてもよい。
一般式（１）で表される化合物の含有量は、特に制限はないが、通常０．００１〜１５容量％であることが好ましく、０．００５〜１０容量％、更には０．０１〜８容量％であることがより好ましい。なお、一般式（１）で表される化合物の含有量は、ＪＩＳ  Ｋ  ２５３６−６「酸素検出式ガスクロマトグラフによる酸素分、酸素化合物の求め方」によって測定した値である。
【００１３】
本発明のガソリン組成物は、オレフィン分が５容量％以上であることが好ましく、１０容量％以上、更には１５容量％以上であることがより好ましい。オレフィン分が５容量％以上であれば、上記の一般式（１）で表される化合物を含有することによる耐摩耗性の向上がより顕著になる効果がある。つまり、オレフィン分と一般式（１）で表される化合物とは、耐摩耗性の向上に関して相乗効果を有するのである。また、オレフィン分が５容量％以上であれば、希薄燃焼状態で失火を起こす恐れがなく、直噴エンジン車などの運転性能を確保できる効果もある。一方、本発明のガソリン組成物は、オレフィン分が４０容量％以下であることが好ましく、３０容量％以下であることがより好ましい。オレフィン分が４０容量％以下であれば、ガソリン自体の酸化安定性を良好に保つことができ、また、排気ガス中の窒素酸化物の増大や、大気中に蒸発したガソリンからオゾンが生成することを抑制できる。なお、オレフィン分は、ＪＩＳ  Ｋ  ２５３６−２「石油製品成分試験方法」のガスクロマトグラフィーによる全成分試験方法によって測定した値である。
【００１４】
本発明のガソリン組成物は、さらに清浄剤を含有することが好ましい。好ましい清浄剤としては、ポリエーテルアミン系清浄剤、ポリブテンアミン系清浄剤、ポリイソブテニルコハク酸イミド及びアルキルフェノールアミンなどが挙げられる。
このような清浄剤を含有すれば、耐摩耗性の低下を抑制しつつ、吸気バルブデポジット（ＩＶＤ）の生成を低減できる効果がある。
このような清浄剤は、一種を単独で用いてもよく、二種以上を組合せて用いてもよい。また、この清浄剤の含有量は５０〜５００質量ｐｐｍであることが好ましく、５０〜２５０質量ｐｐｍであることがより好ましく、特に５０〜２００質量ｐｐｍであることが好ましい。
【００１５】
本発明のガソリン組成物は、ＪＰＩ−５Ｓ−９８に規定する「軽油−潤滑性試験方法」に準拠し、試験温度を２５℃で行った潤滑性試験において、潤滑状態が良好であることが好ましい。
本発明でいうＪＰＩ−５Ｓ−９８「軽油―潤滑性試験方法」に準拠した潤滑性試験方法とは、実質的にはＪＰＩ−５Ｓ−９８に規定する方法において、６０℃と規定している試験温度を２５℃にすると共に、潤滑性試験の初期の段階で摩擦・摩耗状態を測定する方法である。
【００１６】
この場合、試験温度を２５℃にするのは、試料であるガソリンの引火を考慮したものである。また、潤滑性試験の初期の段階における潤滑状態を測定するとは、ＪＰＩ−５Ｓ−９８で規定する試験時間７５分経過時における摩耗痕径を測定するのみでなく、試験時間１０分経過時における摩耗痕径、並びに試験時間４分経過時における摩擦係数及びその摩擦部分に存在する潤滑膜の膜厚を測定するものである。
【００１７】
本発明のガソリン組成物においては、上記の摩擦試験における、試験時間１０分経過後における摩耗痕径が４８０μｍ以下であることが好ましく、４６０μｍ以下であることがより好ましい。この摩耗痕径が４８０μｍ以下であるガソリンは、耐摩耗性が良好であり、燃料ポンプの摺動部の摩耗を効果的に抑制するものである。
【００１８】
本発明のガソリン組成物においては、上記潤滑性試験方法において、試験時間４分経過時における試験結果が、下記の（ａ）及び（ｂ）のうち少なくとも一方を満たすことがさらに好ましい。
（ａ）試験円盤と試験硬球との間に通電したときの絶縁率が２０％以上
（ｂ）試験円盤と試験硬球間の摩擦係数が１．０以下
【００１９】
本発明における、（ａ）の試験円盤と試験硬球との間に通電したときの絶縁率は、試験円盤と試験硬球との間の摩擦部分に存在する潤滑膜の膜厚（Ｆｉｌｍ厚）に対応する値を示している。潤滑膜は絶縁性があるため、絶縁率は潤滑膜の膜厚と概ね比例関係にあるからである。この潤滑膜は耐摩耗性を付与する物質であるから、その厚さが厚いほど、したがって、絶縁率が高いほど潤滑状態が良好であることを示している。
また、（ｂ）の試験円盤と試験硬球間の摩擦係数については、それが小さいほど潤滑状態が良好であることを示している。
上記のように、（ａ）の絶縁率（潤滑膜の膜厚）が２０％以上、又は（ｂ）の摩擦係数が１．０以下であれば、さらに潤滑状態が良好であり、燃料ポンプの摺動部の摩耗が問題となる可能性は小さくなる。もちろん本発明においては、（ａ）と（ｂ）の条件を同時に満たすことがより好ましく、また前記（ａ）の絶縁率が３０％以上、（ｂ）の摩擦係数が０．５以下であることがより好ましい。
なお、試験時間４分経過時とするのは、潤滑膜が安定に形成されるために要する時間が経過した段階であり、その初期の安定した潤滑状態の良否が実際の装置（エンジン）に使用された場合の潤滑性（耐摩耗性）と相関するからである。
【００２０】
本発明のガソリン組成物においては、さらに前記潤滑性試験方法において、試験時間７５分経過時における摩耗痕径が８８０μｍ以下であることが好ましい。試験時間７５分経過時における摩耗痕径が８８０μｍ以下であればより耐摩耗性が良好であることが確認できる。
【００２１】
本発明のガソリン組成物は、さらに環境汚染を低減し、運転性能を向上するために、以下の性状を有することが好ましい。
すなわち、本発明の耐摩耗性ガソリン組成物は、ベンゼン含有量が１．０容量％以下であることが好ましく、０．５容量％以下がより好ましい。ベンゼンが１．０容量％以下であれば、排気ガス中のベンゼン含有量を抑えることができ、また、ガソリン自体が人体に悪影響を及ぼすこともない。なお、ベンゼン含有量は、ＪＩＳ  Ｋ  ２５３６−２「石油製品成分試験方法」のガスクロマトグラフィーによる全成分試験方法によって測定した値である。
【００２２】
また、本発明のガソリン組成物は、芳香族分が４５容量％以下、好ましくは４０容量％以下である。芳香族分が４５容量％以下であれば排気ガス中の炭化水素やＣＯが増大することはなく、また点火プラグがくすぶりを生ずることはなく、運転性能も良好である。一方、芳香族分の下限については１０容量％、好ましくは１５容量％である。芳香族分が１０容量％以上であれば、運転性能が低下することはない。なお、芳香族分は、ＪＩＳ  Ｋ  ２５３６−２「石油製品成分試験方法」のガスクロマトグラフィーによる全成分試験方法で測定した値である。
【００２３】
また、本発明のガソリン組成物の蒸留性状については、５０％留出温度（Ｔ５０）が７０〜１１５℃であることが好ましく、７５〜１１０℃であることがより好ましく、７８〜１０５℃であることが特に好ましい。また７０％留出温度（Ｔ７０）が１０５〜１４０℃であることが好ましく、１１０〜１３０℃であることがより好ましい。また９０％留出温度（Ｔ９０）が１３５〜１７５℃であることが好ましく、１４０〜１７０℃であることがより好ましい。上記の蒸留性状を満たすガソリンであれば加速性などの運転性能を良好に保つことができる。なお、上記Ｔ５０、Ｔ７０、及びＴ９０は、ＪＩＳ  Ｋ  ２２５４に基づいて測定した蒸留性状から求めた値である。
【００２４】
また本発明のガソリン組成物は、通常さらに次の性状を有することが好ましい。すなわち、モータ法オクタン価（ＭＯＮ）が８４以上、好ましくは８６以上である。ＭＯＮが８４以上であると高速においてノッキングを生ずるおそれがなく、運転性能に影響を及ぼすことがない。一方、ＭＯＮの上限値については特に制限はないが、通常およそ９２である。
また本発明のガソリン組成物は、ＪＩＳ  Ｋ  ２２８７「ガソリン酸化安定度試験方法（誘導期間法）」によって測定した酸化安定度が４８０分以上であることが好ましく、６００分以上であることがより好ましい。酸化安定度が４８０分以上であれば、貯蔵中にガムが生成する恐れがなく良好である。
【００２５】
本発明のガソリン組成物は、例えば、以下の（ア）、又は（ア）及び（イ）に示す方法によって得ることができる。
（ア）ベースガソリン（Ａ）に，一般式（１）で表される化合物（Ｂ）を配合する。
（イ）さらに清浄剤（Ｃ）を配合する。
【００２６】
上記ベースガソリン（Ａ）は、通常のガソリンを意味するが、硫黄分やＲＯＮなどが本発明の組成物が有すべき要件を満たすものであり、各種のガソリン基材を単独又は複数配合することにより調製することができる。そのようなガソリン基材としては、例えば、原油を常圧蒸留して得られる軽質ナフサ、接触分解法や水素化分解法で得られる分解ガソリン、接触改質法で得られる改質ガソリン中のベンゼンを取り除いた留分（脱ベンゼン改質ガソリン）、オレフィンの重合により得られる重合ガソリン、イソブタンなどの炭化水素に低級オレフィンを付加して得られるアルキレート、直鎖の低級パラフィン系炭化水素の異性化によって得られるアイソメレート（異性化ガソリン）、脱n―パラフィン油、及びこれらの特定範囲の留分や芳香族炭化水素などが挙げられる。
【００２７】
中でも好適なベースガソリン（Ａ）の調製方法としては、アルキレート、軽質分解ガソリン、分解ガソリン、脱ベンゼン改質ガソリン、さらには異性化ガソリン及びブタンなどを配合したものが挙げられる。この場合、特に軽質分解ガソリンや分解ガソリンを配合することが好ましく、その好ましい配合量は、１０〜６０容量％、より好ましくは２０〜５０容量％である。これによって、上述した好ましい量のオレフィン分を含有するベースガソリン（Ａ）を得ることができる。
【００２８】
本発明のガソリン組成物の調製に用いる一般式（１）で表される化合物（Ｂ）及び清浄剤（Ｃ）の内容並びにそれらの配合量は、上記の通りである。
【００２９】
本発明のガソリン組成物には、更に必要に応じて各種の添加剤を適宜配合することができる。このような添加剤としては、フェノール系やアミン系などの酸化防止剤、シッフ型化合物やチオアミド型化合物などの金属不活性剤、脂肪酸、脂肪酸エステルなどの潤滑性向上剤，有機リン化合物などの表面着火防止剤、多価アルコール及びエーテルなどの氷結防止剤、有機酸のアルカリ金属やアルカリ土類金属塩、高級アルコールの硫酸エステルなどの助燃剤、アニオン界面活性剤、カチオン界面活性剤、両面界面活性剤などの帯電防止剤、アルケニルコハク酸のエステルなどのさび止め剤、キリザニン、クマリンなどの識別剤、天然精油、合成香料などの着臭剤、アゾ染料などの着色剤など、公知のガソリン添加剤が挙げられ、これらの添加剤を一種又は二種以上添加することができる。また、これら添加剤の添加量は状況に応じて適宜選定すればよいが、通常は添加剤の合計量としてガソリン組成物に対して０．１質量％以下とすることが好ましい。
【実施例】
【００３０】
次に実施例により本発明を詳しく説明するが、本発明はこれらの例によって何ら制限されるものではない。なお、ガソリン組成物の性状及び性能は次の方法に従って求めた。
（１）リサーチ法オクタン価、モーター法オクタン価
ＪＩＳ  Ｋ  ２２８０に準拠して測定した。
（２）硫黄分
ＪＩＳ  Ｋ  ２５４１−２の微量電量滴定酸化法によって測定した。
（３）オレフィン分、ベンゼン含有量、芳香族分
これらについては、ＪＩＳ  Ｋ  ２５３６−２「石油製品成分試験方法」ガスクロマトグラフィーによる全成分試験法により測定した。
（４）蒸留性状
ＪＩＳ  Ｋ  ２５４１により測定した。
（５）潤滑性試験
ＰＣＳ  Ｉｎｓｔｒｕｍｅｎｔｓ社製「ＨＦＲ２  Ｇａｓｏｌｉｎｅ  Ｃｏｎｖｅｒｓｉｏｎ  Ｋｉｔ」を用い、下記の条件にて摩耗痕径、絶縁率（潤滑膜の膜厚）、摩擦係数を測定し、耐摩耗性を評価した。
・試験温度：２５℃
・試験時間：４分，１０分，７５分の各時間
・試料量：１５ｍｌ
・試料浴表面積：１４ｃｍ2
・その他の条件（試験円板、試験硬球、荷重、ストローク，周波数等）：
ＪＰＩ−５Ｓ−９８で規定する方法と同じ方法で行った。
上記の絶縁率（潤滑膜の膜厚）は、試験円板と試験硬球間に一定の低電圧をかけて、潤滑性試験を行い、そのときの電流を測定して絶縁率（％）を求めた。
（６）吸気バルブデポジット（ＩＶＤ）の測定
各ガソリン組成物について、ＪＡＳＯ  Ｍ  ３５２「自動車ガソリン機関−吸気系清浄剤による燃焼室デポジットへの影響性試験法」に準拠して、エンジンを運転し、運転後に、吸気バルブに付着したデポジット（ＩＶＤ）を秤量した。
【００３１】
実施例１〜１１及び比較例１
第１表に示した基材、及び下記の化合物を用いて、第２表−１及び第２表−２に示す割合で混合し、第２表−１及び第２表−２に示すガソリン組成物を調製し、そのガソリン組成物の性状・組成及び性能を第２表−１及び第２表−２に示す。第１表、第２表−１及び第２表−２において、ＡＬＫはアルキレート、ＰＧＰＺは脱ベンゼン改質ガソリン、ＬＦＧは分解ガソリンを示す。また、ＥＴＢＥはエチルｔｅｒｔ-ブチルエーテル、ｔ-ＢｕＯＨは、ｔｅｒｔ-ブチルアルコール、ＥｔＯＨはエチルアルコール、清浄剤はポリイソブチルアミン化合物（ＢＡＳＦ社製「ＡＰ９５」）である。
なお、ＰＧＰＺは、改質ガソリンから蒸留によってベンゼン及びその近傍の飽和炭化水素化合物を取除いた留分である。
【００３２】
【表１】
2007002236.tif 000002
【００３３】
【表２】
2007002236.tif 000003
【００３４】
【表３】
2007002236.tif 000004
【産業上の利用可能性】
【００３５】
本発明のガソリン組成物は、低硫黄分であって、環境対応型ガソリンである上に、優れた耐摩耗性を有するガソリン組成物として有用である。また、本発明のガソリン組成物は、優れた耐摩耗性とともに吸気バルブデポジット（ＩＶＤ）の生成が少ないガソリン組成物として有用である。